(57)【要約】【課題】如何なる開け方をされた場合でも開封が完全に感知され得、所定の処置を講じ得るハードディスク装置用容器を提供する。【解決手段】ハードディスク装置の最外殻の外側筐体１２０を圧力的に密閉構造に形成し、該外側筐体１２０内に、気密が保たれた内側密閉室１３０を画成する内側筐体１５０を設ける。内側筐体１５０は、内側密閉室１３０内の圧力とその外側の圧力との差圧により動く可動部１６０をその壁面の少なくとも一部に備え、可動部に連結された記録破壊手段の移動が可能にされている。【選択図】　　　　図１
2004054995.tif 000002
【特許請求の範囲】
【請求項１】
ハードディスク装置の最外殻の外側筐体を圧力的に密閉構造に形成し、該外側筐体内に、気密が保たれた内側密閉室を画成する内側筐体を設けたことを特徴とするハードディスク装置用容器。
【請求項２】
前記内側筐体は、内側密閉室内の圧力とその外側の圧力との差圧により動く可動部をその壁面の少なくとも一部に備えることを特徴とする請求項１に記載のハードディスク装置用容器。
【請求項３】
前記内側筐体内が負圧に維持され、磁気記録媒体および磁気ヘッドが前記内側筐体に内包されていることを特徴とする請求項２に記載のハードディスク装置用容器。
【請求項４】
前記内側筐体内が正圧に維持され、磁気記録媒体および磁気ヘッドが前記外側筐体に内包されていることを特徴とする請求項２に記載のハードディスク装置用容器。
【請求項５】
前記可動部は、ゴム体またはフレキシブル金属体から構成されていることを特徴とする請求項２ないし４のいずれかに記載のハードディスク装置用容器。
【発明の詳細な説明】
【０００１】
【発明の属する技術分野】
この発明は、ハードディスク装置の記録媒体に記録された情報を、違法な手段で入手しようとした場合等に、その情報の読み出しを不可能にするハードディスク装置用容器に関する。
【０００２】
【従来の技術】
現在のパソコン等の端末機器では、各種のコンテンツがハードディスク装置にプレインストールされていたり、ユーザーが必要とするコンテンツをインターネット等を経由してハードディスク装置にダウンロードして入手したりすることにより、それらを容易に利用することが出来るようになって来ている。そこで、このようにコンテンツが広く行き渡るようになるのに伴い、そのコンテンツの不正利用を確実に防止することも求められて来ている。
【０００３】
従来、不正利用を防止するためには、ＩＤ番号や，パスワードが設定され、契約者のみが使用できるようにされていたが、契約者がＩＤ番号，パスワードを第三者に漏洩し、この第三者が不正使用を行っているケースも見受けられた。このため、新たな対策として、記録媒体個々にＩＤを埋め込んでおき、例えばコンテンツを利用する為に必要なコンテンツキーを、前記ＩＤを基にして作成することにより、始めてコンテンツを利用することが可能となるようなシステムが提案されている。このようにすれば、媒体に埋め込まれているＩＤが盗まれない限り、素人に限らず、マ二ア等によるコンテンツの不正利用は完全に阻止されることになる。
【０００４】
【発明が解決しようとする課題】
しかしながら、上記のような不正防止の対策を行っていても、専門知識を持っている者が、ハードディスク装置を分解し、記録媒体の記録面の記録状態を磁気ヘッドを用いて読み取り、信号処理などの手段を用いれば、コンテンツキー，ＩＤ等を盗み取ることは原理的に可能であり、これにより著作権等で保護されているコンテンツ情報のみを取り出すことは、専門家にとっては全く不可能とは言えない。
【０００５】
従って、インターネットなどを用いたコンテンツ配信の普及をさらに高めるためには、コンテンツ供給者の著作権等が完全に保護される信頼性の高いシステムが求められている。
【０００６】
このためには、基本的に、情報が埋め込まれている磁気記録媒体に対して、何らかの読み出しを不可能にするような処置、例えば、記録されている磁化を消去したり、媒体基板を変形させたりする処置を要し、この処置を行うためには、さらに、ハードディスク装置が開封されたことを検知することが必要である。かかる要求を満たすには、リミットスィッチなどを設けて、蓋が開けられたときに作動させ、ハードディスク装置が開封されたことを検知することなどが考えられる。
【０００７】
しかしながら、このようなものでは、蓋などの開封の局部的な検出しか出来ず、不正利用者が、リミットスィッチが設置されている場所を学習してしまえば、次回からの開封は、このリミットスィッチが設置されている場所を避けて行われ得るので、目的とする磁気記録媒体からの情報の不正読み出しを完全には阻止出来なくなってしまうという問題がある。
本発明の課題は、かかる問題を解決し、如何なる開け方をされた場合でも開封が完全に感知され得、所定の処置を講じ得るハードディスク装置用容器を提供することにある。
【０００８】
【課題を解決するための手段】
上述の要求を満たす本発明のハードディスク装置用容器は、ハードディスク装置の最外殻の外側筐体を圧力的に密閉構造に形成し、該外側筐体内に、気密が保たれた内側密閉室を画成する内側筐体を設けたことを特徴とする。
【０００９】
ここで、前記内側筐体は、内側密閉室内の圧力とその外側の圧力との差圧により動く可動部をその壁面の少なくとも一部に備えることが好ましい。
【００１０】
なお、前記内側筐体内が負圧に維持され、磁気記録媒体および磁気ヘッドが前記内側筐体に内包されていてもよい。
【００１１】
また、前記内側筐体内が正圧に維持され、磁気記録媒体および磁気ヘッドが前記外側筐体に内包されていてもよい。
さらに、前記可動部は、ゴム体またはフレキシブル金属体から構成されていることが好ましい。
【００１２】
【発明の実施の形態】
以下、本発明の実施の形態を添付図面を参照しつつ説明する。
まず、本発明の第一の実施の形態によるハードディスク装置用容器を用いたハードディスク装置１００の断面構造を図１に示す。
【００１３】
ハードディスク装置１００は、密閉された二室構造となっている。より詳しくは、ハードディスク装置１００の最外殻の外側筐体１２０を圧力的に密閉構造に形成し、該外側筐体１２０内に、気密が保たれた内側密閉室１３０を画成する内側筐体１５０を設けている。内側筐体１５０の外側には、外側密閉室１１０がハードディスク装置の外側筐体１２０にて構成されている。
【００１４】
本発明の第一の実施の形態によるハードディスク装置用容器を用いたハードディスク装置１００では、磁気記録媒体としてのハードディスク１４０，ヘッドアーム１４２、磁気ヘッド１４４等が内側筐体１５０に内包されている。なお、１４６はハードディスク１４０を駆動するスピンドルモータである。
【００１５】
この内側筐体１５０の壁面には、図３にも示すように、外側密閉室１１０と内側密閉室１３０との差圧による変位量を大きく、また変位量を安定的に得る為に、ゴムやフレキシブル金属体等の素材からなる蛇腹状の可動部１６０が設けられている。なお、図示はしないが、蛇腹部の外側に円筒を設け、その中をスライドさせる構成にすれば、さらに変位量を安定的に一方向に得ることができる。そして、この可動部１６０は磁気記録媒体の記録面に対向する位置に設置されている。可動部１６０の中心には、磁気記録媒体としてのハードディスク１４０の磁性層１４０ａを含む記録面に対向する関係で、磁気記録媒体とほぼ同じ大きさの円盤状の永久磁石や機械的手段等の記録破壊手段１７０（図５参照）が、主軸１７２を介して固定されている。主軸１７２の中心には、案内孔１７２ａが穿設されており、スピンドルモータ１４６のシャフト１４７が嵌合されている。なお、１４０ｂは、磁性層１４０ａの表面に被覆された潤滑層である。
【００１６】
外側または内側の密閉室１１０または１３０を、ハードディスク装置１００の外側または内側の筐体１２０または１５０にて構成するには、図２に示すように、筐体を上側筐体１２０Ｕ（１５０Ｕ）および下側筐体１２０Ｌ（１５０Ｌ）の上／下の２分割構成とし、超音波を用いた溶着技術を用いれば、密閉性を確保し、生産性を損なわないようにすることが出来る。詳しくは、下側筐体１２０Ｌ（１５０Ｌ）を超音波溶着機のベース３００Ｂ上に載置し、上側筐体１２０Ｕ（１５０Ｕ）を超音波溶着機の振動体３００Ｖに取付けて、両者を接合するのである。なお、ハードディスク装置の内部で発生する熱を、外部に放出するには、前記の上／下の２分割構成の筐体の特定部分を金属体にすれば良い。
【００１７】
さらに、外側筐体１２０および内側筐体１５０には、ハードディスク装置１００の製造時において、外側密閉室１１０と内側密閉室１３０との圧力を適正に設定するために、圧力封止口１２２および１５２が設けられている。そして、この圧力封止口１２２および１５２には、それぞれ、封止用ヒータ１２４および１５４が設けられている。より詳しくは、内外の密閉室の圧力封止口の素材は熱によって溶融する樹脂を使用し、熱は各々の室ごとに設けられた封止用ヒータ１２４および１５４で印加される。また、１９０はハードディスク装置１００の制御を行う回路等が配された回路基板であり、その配置位置はいずれであってもよい。
【００１８】
このような構成のハードディスク装置１００の組み立ては、以下のようにして行うことが出来る。
【００１９】
ハードディスク装置１００の全部品の組立、配線を行う。そして、内側筐体１５０および外側筐体１２０のそれぞれの合わせ面を超音波溶着装置で、溶着接合し、圧力封止口１２２および１５２を除いて、それぞれを気密構造とする。次に、上記溶着接合されたハードディスク装置を、所定の圧力容器に入れた状態で、内側密閉室１３０を設定された所定の圧力（負圧）の状態とし、内側の密閉室１３０のヒータ１５４を加熱し、ヒータ付近の樹脂を溶融し、内側密閉室１３０の圧力封止口１５２を封止する。さらに、外側の密閉室１１０を設定された所定の圧力（負圧）の状態とし、外側の密閉室１１０のヒータ１２４を加熱し、ヒータ付近の樹脂を溶融し、外側密閉室１１０の圧力封止口１２２を封止する。
【００２０】
かくて、外気より低圧、すなわち、負圧に密閉維持されたハードディスク装置１００が得られる。
【００２１】
ここで、ハードディスク装置１００が、不正使用の目的等で外側筐体１２０が開封（開封位置を図５にＸで示す）されると、外側筐体１２０により画成されている外側密閉室１１０の圧力が大気圧相当となり、大気圧より低圧に維持されている内側密閉室１３０との間に差圧が生ずることになる。すると、可動部１６０に圧力差に伴う力が働き、ベローズ状膜の引張り力と平衡する位置まで、可動部１６０は移動する。これにより、可動部１６０に取付けられている永久磁石等の記録破壊手段１７０も可動部１６０の移動に伴い移動し、ハードディスク１４０に近接または接触する。そして、記録破壊手段１７０が、磁気記録媒体の磁性層１４０ａに近接または接触する結果、磁性層１４０ａの磁化が反転または破壊され、磁性層１４０ａの磁気信号は正常に得られなくなる。かくて、不正使用が防止される。
【００２２】
次に、本発明の第二の実施の形態につき図６を参照して説明する。第一の実施の形態では、ハードディスク装置１００内を大気圧以下に減圧したが、第二の実施の形態におけるハードディスク装置２００は大気圧以上に加圧して維持するものである。そして、磁気記録媒体としてのハードディスク１４０，ヘッドアーム１４２、磁気ヘッド１４４等が内側筐体２５０ではなく、外側筐体２２０に内包されている。なお、前実施の形態と同一機能部位については同一符号を用い重複説明を避ける。
【００２３】
図６において、ハードディスク装置２００の内側密閉室２３０は内側筐体２５０によって形成されると共に、外側密閉室２１０が内側筐体２５０の周りの外側筐体２２０によって形成されている。そして、内側筐体２５０の壁面には、ハードディスク装置２００の開封時の差圧により外側密閉室２１０側に可動の可動部２６０が設けられている。
【００２４】
さらに、内側筐体２５０には第一の実施の形態で用いた圧力封止口１５２と同種の圧力封止口２５２が設けられると共に、外側筐体２２０には圧力封止口２２２が設けられている。
【００２５】
このような構成のハードディスク装置２００の組み立ては、第一の実施の形態の場合とほぼ同様に行うことが出来、ハードディスク装置２００の全部品の組立、配線を行い、内側筐体２５０および外側筐体２２０の合わせ面を超音波溶着装置で、溶着接合し、それぞれを気密構造とする。そして、外側筐体２２０に設けられた圧力封止口２２２からポンプにて加圧する。ハードディスク装置２００内が大気圧より高い所定の圧力（正圧）になった段階で加圧を止め、内側密閉室２３０を封止する。そこで、外側筐体２２０の圧力封止口２２２の封止を熱溶着等の手段を用いて実施する。かくて、内側密閉室２３０の圧力が外側密閉室２１０の圧力より高いか、または等しいが、全体として外気より高圧に密閉維持されたハードディスク装置２００が得られる。
【００２６】
ここで、ハードディスク装置２００が、不正使用の目的等で外側筐体２２０が開封されると、外側筐体２２０により画成されている外側密閉室２１０の圧力が大気圧相当となり、大気圧より高圧に維持されている内側密閉室２３０との間に差圧が生ずることになる。すると、可動部２６０に圧力差に伴う力が働き、第一の実施の形態の場合と同様に、記録破壊手段１７０も可動部２６０の移動に伴い移動し、ハードディスク１４０に近接または接触する。そして、記録破壊手段１７０の近接または接触の結果、磁性層の記録が消去され、磁気信号は正常に得られなくなる。かくて、不正使用が防止される。
【００２７】
【発明の効果】
本発明によれば、空気中でハードディスク装置を開けて、ハードディスクに記録されているコンテンツ情報を読み出そうとしても、予め大気圧に対し加圧または減圧された二つの圧力密閉室の差圧により、記録破壊手段が自動的に動き、磁気記録媒体の記録を破壊するようにすることができるので、コンテンツの読み出しが完全に阻止され、コンテンツ提供者の著作権を保護することが出来る。
【図面の簡単な説明】
【図１】本発明によるハードディスク装置用容器の第一の実施の形態を示す断面図である。
【図２】本発明によるハードディスク装置用容器における筐体の作製過程を説明するための断面図である。
【図３】本発明によるハードディスク装置用容器の内側筐体の構造を示す断面図である。
【図４】本発明におけるハードディスク装置用容器の封止の手順を説明するための部分断面図であり、（Ａ）は未封止状態、（Ｂ）は内側筐体のみの封止状態、（Ｃ）は内側筐体および外側筐体の封止状態を示す。
【図５】本発明におけるハードディスク装置用容器の第一の実施の形態を開封した状態を示す断面図である。
【図６】本発明によるハードディスク装置用容器の第二の実施の形態を示す断面図である。
【符号の説明】
１００、２００　　ハードディスク装置
１１０、２１０　　外側密閉室
１２０、２２０　　外側筐体
１２２，２２２　　圧力封止口
１３０、２３０　　内側密閉室
１４０　　ハードディスク（磁気記録媒体）
１４４　　磁気ヘッド
１５０、２５０　　内側筐体
１５２，２５２　　圧力封止口
１６０、２６０　　可動部
１７０　　記録破壊手段
【図１】
2004054995.tif 000003
【図２】
2004054995.tif 000004
【図３】
2004054995.tif 000005
【図４】
2004054995.tif 000006
【図５】
2004054995.tif 000007
【図６】
2004054995.tif 000008